(57)【要約】少なくとも足の一部を覆う靴のアッパー（３）であって、足の内側面を覆う内足部と、足の外側面を覆う外足部と、内足部及び／又は外足部において互いに足の前後方向（Ｙ）に離間し、前記足の前後方向（Ｙ）に交差する足の周方向（Ｘ）に延びる複数のパネル部（１１）と、複数のパネル部（１１）のうち前後方向（Ｙ）に互いに隣り合う一対のパネル部（１１）にわたって配置され、前後方向（Ｙ）に延びる線状部材で構成された複数本の紐部（１０）とを備え、パネル部（１１）と前記紐部（１０）とが１つの生地（１）で形成されている。
2018173094.tif 000002
【特許請求の範囲】
【請求項１】
少なくとも足の一部を覆う靴のアッパー３であって、前記足の内側面を覆う内足部３１と、前記足の外側面を覆う外足部３２と、前記内足部３１及び／又は外足部３２において互いに足の前後方向Ｙに離間し、前記足の前後方向Ｙに交差する足の周方向Ｘに延びる複数のパネル部１１と、前記複数のパネル部１１のうち前記前後方向Ｙに互いに隣り合う一対のパネル部１１にわたって配置され、前記前後方向Ｙに延びる線状部材で構成された複数本の紐部１０とを備え、前記パネル部１１と前記紐部１０とが１つの生地１で形成されている。
【請求項２】
請求項１のアッパー３において、前記パネル部１１の前記前後方向Ｙの幅の平均値が、前記紐部１０の前記周方向Ｘの太さの平均値よりも大きい。
【請求項３】
請求項１もしくは２のアッパー３において、前記各パネル部１１は前記周方向Ｘに延びる帯状で、前記各パネル部１１は前記周方向Ｘに互いに離間した複数の貫通孔Ｈを定義しており、前記複数の貫通孔Ｈのうちの各貫通孔Ｈに、前記複数の紐部１０のうちの１本の紐部１０が挿通されていると共に、前記各貫通孔Ｈにおいて、前記各パネル部１１が前記各紐部１０の周囲を締め付けている。
【請求項４】
請求項３のアッパー３において、前記前後方向Ｙに延びる前記複数本の紐部１０のうち互いに隣り合う各紐部１０同士は前記周方向Ｘに互いに離間している。
【請求項５】
請求項１〜４のいずれか１項のアッパー３において、  前記各紐部１０は前記複数のパネル部１１の貫通孔Ｈにおいて前記パネル部１１に締め付けられた被締付部１０ａと、前記互いに隣り合うパネル部間において露出する露出部１０ｂとを包含し、  前記被締付部１０ａの前記周方向Ｘの太さが前記露出部１０ｂの前記周方向Ｘの太さよりも細い。
【請求項６】
請求項５のアッパー３において、前記紐部１０は複数の繊維Ｆを集めた束状で、前記複数の繊維同士は、互いに非接着であり、前記露出部１０ｂよりも前記被締付部１０ａにおいて前記複数の繊維が密に束ねられている。
【請求項７】
請求項６のアッパー３において、  前記紐部１０は非撚り糸状である。
【請求項８】
請求項３〜７のいずれか１項のアッパー３において、前記各パネル部１１はそれぞれ編地で形成され、前記各編地を構成する糸１３が前記貫通孔Ｈを定義すると共に、前記各貫通孔Ｈにおいて各紐部１０の周囲を締め付けている。
【請求項９】
請求項８のアッパー３において、前記編地が経編地で構成されている。
【請求項１０】
請求項１〜４のいずれか１項のアッパー３において、前記各紐部１０は前記複数のパネル部１１の貫通孔Ｈにおいて締め付けられた被締付部１０ａと、前記互いに隣り合うパネル部１１間において露出する露出部１０ｂとを前記前後方向Ｙに交互に有し、前記内足部３１及び／又は前記外足部３２における互いに隣り合う一対のパネル部１１同士の間において、前記各紐部１０の前記露出部１０ｂが前記足の周方向Ｘに間欠的に複数配置された梯子部１２を有し、前記梯子部１２が前記前後方向Ｙに間欠的に複数配置され、前記複数の梯子部１２と前記複数のパネル部１１とが前記前後方向Ｙに交互に配置されている。
【請求項１１】
請求項１０のアッパー３において、前記アッパー３は前記足の内外の中央部３６に向かって前記複数のパネル部１１を引き寄せる締付部材６を有し、前記内足部３１及び／又は外足部３２は、それぞれ、前記締付部材６が係合する複数の係合部６０を有し、前記内足部３１または外足部３２において互いに隣り合う一対の係合部６０の間のアッパー３の部位に対し、１つのパネル部１１とその前後の一対の前記梯子部１２とが配置されている。
【請求項１２】
請求項１０のアッパー３において、前記アッパー３は前記足の内外の中央部３６に向かって前記複数のパネル部１１を引き寄せる締付部材６を有し、前記内足部３１及び／又は外足部３２は、それぞれ、前記締付部材６が係合する複数の係合部６０を有し、前記複数の係合部６０のうち最も前方の係合部６０よりも前方の前記アッパーの爪先部３３に前記パネル部１１および梯子部１２が前記前後方向Ｙに交互に複数配置されている。
【請求項１３】
請求項１〜１２のいずれか１項のアッパー３において、前記生地は複数本の糸１３を包含し、前記複数本の糸１３の一部又は全部が融着糸で、前記融着糸は糸同士を融着する融着構造を形成する。
【請求項１４】
請求項１３のアッパー３において、  前記融着構造の融着糸は前記パネル部１１における糸同士を融着する。
【請求項１５】
請求項１〜１４のいずれか１項のアッパー３において、前記糸の一部又は全部が非伸性である。
【発明の詳細な説明】
【技術分野】
【０００１】  本発明は靴のアッパーに関する。
【背景技術】
【０００２】  テニスやバレーボール、サッカーなどの競技では切り返し動作やブレーキ動作を多数強いられる。かかる競技の特性上、アッパーは横方向の安定性が必要となる。そのため、現在の競技用の靴は剛性の高い人工材やポリウレタン性の樹脂材料を用いることによってアッパーの安定性を確保してきた。【０００３】しかし、これらの靴は高い安定性が得られる反面、重量は重く、屈曲時にはアッパーに座屈が生じ、フィット性が低いという問題点があった。特に、競技用の靴には上述した競技の特性上、アッパーに単純な伸長や縮小の変形だけではなく、捩れなどが加わるため不快なしわが発生し易く（足の表面に違和感が生じ易く）、フィット性の改善が望まれている。フィット性を高めるための手段として部分的に剛性の低いメッシュ部材やストレッチ部材を使用したアッパーも開発されている。
【先行技術文献】
【特許文献】
【０００４】
【特許文献１】ＷＯ  ２０１１／１２９０１７  Ａ１（フロントページ）
【特許文献２】ＷＯ  ２００８／３９８  Ａ１（フロントページ）
【特許文献３】ＷＯ  ２００７／１４００５４  Ａ１（フロントページ）
【特許文献４】ＪＰ２０１２−１９６４８８  Ａ（フロントページ）
【特許文献５】ＷＯ  ２０１１／０２８４４４  Ａ１（フロントページ）
【特許文献６】ＷＯ  ２０１１／０１１１７６  Ａ１（フロントページ）
【特許文献７】ＷＯ  ２０１５／１８１９２８  Ａ１（フロントページ）
【発明の概要】
【０００５】  ＷＯ  ２０１１／１２９０１７  Ａ１に開示されたアッパーの構造は軽量化を実現するとともに、独自のフィット性の向上を実現することが可能であろう。しかし、この技術は足幅方向への補強が大きくなり難く、安定性の向上は期待しづらいかもしれない。
【０００６】  したがって、本発明の目的は、安定性、軽量性およびフィット性を有する新規なアッパーの構造を提供することである。
【０００７】本発明のアッパーは、少なくとも足の一部を覆う靴のアッパー３であって、前記足の内側面を覆う内足部３１と、前記足の外側面を覆う外足部３２と、前記内足部３１及び／又は外足部３２において互いに足の前後方向Ｙに離間し、前記足の前後方向Ｙに交差する足の周方向Ｘに延びる複数のパネル部１１と、前記複数のパネル部１１のうち前記前後方向Ｙに互いに隣り合う一対のパネル部１１にわたって配置され、前記前後方向Ｙに延びる線状部材で構成された複数本の紐部１０とを備え、前記パネル部１１と前記紐部１０とが１つの生地１で形成されている。
【０００８】線状部材で構成された紐部とは、パネル部と異なり線状でロープよりも細いものを意味する。なお、前後方向Ｙとは足の長軸に平行な水平方向や当該水平方向に対し上下および／または内外に傾いた方向を含むことを意味する。
【０００９】  足の周方向Ｘに延びる複数のパネル部はアッパーを安定して支持するのに役立つだろう。一対のパネル部間に配置された紐部はアッパーの軽量化に役立つだろう。
【００１０】また、紐部は面構造の一般的なアッパー部材よりも、容易に捩れたり、湾曲して縮むような変形を呈し易いだろう。したがって、足の変形に伴う足の縮小変形などの際に、アッパーは容易に追従して変形するだろう。したがって、フィット性が向上するだろう。
【００１１】１つの生地で形成されたパネル部や紐部は、パネル部が樹脂プレートやテープ材である場合に比べ、フィット性の更なる向上および軽量化に役立ち、また、部品点数が少ないので、コストダウンにも役立つだろう。
【図面の簡単な説明】
【００１２】
【図１】図１は本発明の実施例にかかるアッパーを有する靴の概略平面図である。
【図２】図２Ａは同実施例にかかるアッパーを外側から見た靴の概略側面図、図２Ｂはアッパーを構成する主たる生地の一部を拡大して示す拡大概念図である。
【図３】図３は前記生地の一部を更に拡大して示す超拡大概念図である。
【図４】図４は前記生地の表面を拡大したデジタル写真で示す平面図である。
【図５】図５は前記生地の裏面を拡大したデジタル写真で示す背面図である。
【図６】図６Ａは図４の超拡大平面図、図６Ｂは図５の超拡大平面図である。
【図７】図７はパネル部の一部を切断し、切断したパネル部の切片を生地から抜き取った状態をデジタル写真で拡大して示す分解背面図である。
【図８】図８は紐部の一部を切断し、切断した紐部の切片を生地から抜き取った状態をデジタル写真で拡大して示す分解背面図である。
【００１３】図１および図２Ａについては、紐部の配列の様子が分かり易くなるように、一部の紐部の太さを細くして図示している。図７および図８については、紐部の太さが分かり易くなるように、デジタル写真において紐部に修正を加えている。【００１４】
【図９】図９は梯子部が延びる周方向に沿って切断したアッパーの断面図である。
【図１０】図１０Ａは他の生地の例の一部を拡大して示す概念的な斜視図、図１０Ｂは同断面図である。
【図１１】図１１Ａ、図１１Ｂおよび図１１Ｃは、別の生地の一部および構造を示す概念的な斜視図である。
【図１２】図１２は更に他の例を示す生地の概念的な平面図である。
【発明を実施するための形態】
【００１５】好ましくは、前記パネル部１１の前記前後方向Ｙの幅の平均値が、前記紐部１０の前記周方向Ｘの太さの平均値よりも大きい。
【００１６】この場合、細い紐部は軽量性およびフィット性を高めるだろう。
【００１７】好ましくは、前記各パネル部１１は前記周方向Ｘに延びる帯状で、前記各パネル部１１は前記周方向Ｘに互いに離間した複数の貫通孔Ｈを定義しており、前記複数の貫通孔Ｈのうちの各貫通孔Ｈに、前記複数の紐部１０のうちの１本の紐部１０が挿通されていると共に、前記各貫通孔Ｈにおいて、前記各パネル部１１が前記各紐部１０の周囲を締め付けている。
【００１８】貫通孔においてパネル部に周囲を締め付けられた紐部はパネル部から離脱しにくいだろう。したがって、生地の耐久性が高まるだろう。
【００１９】好ましくは、前記前後方向Ｙに延びる前記複数本の紐部１０のうち互いに隣り合う各紐部１０同士は前記周方向Ｘに互いに離間している。
【００２０】周方向に互いに離間した複数の紐部は、生地が広域にわたって足にフィットするのに役立つだろう。
【００２１】好ましくは、前記各紐部１０は前記複数のパネル部１１の貫通孔Ｈにおいて前記パネル部１１に締め付けられた被締付部１０ａと、前記互いに隣り合うパネル部間において露出する露出部１０ｂとを包含し、前記被締付部１０ａの前記周方向Ｘの太さが前記露出部１０ｂの前記周方向Ｘの太さよりも細い。
【００２２】露出部よりも細い被締付部は、締め付けられた紐部がパネル部に係合し紐部がパネル部から離脱するのを抑制するだろう。
【００２３】更に好ましくは、前記紐部１０は複数の繊維を集めた束状で、前記複数の繊維同士は、互いに非接着であり、前記露出部１０ｂよりも前記被締付部１０ａにおいて前記複数の繊維が密に束ねられている。
【００２４】互いに非接着の束状の繊維で形成された紐部は、パネル部で周囲を締め付けられていることで、露出部１０ｂよりも前記被締付部１０ａにおいて、繊維が密になって、紐部が細くなり易い。そのため、紐部の前記離脱を抑制し易いだろう。
【００２５】更に好ましくは、前記紐部１０は非撚り糸状である。
【００２６】モノフィラメントでなく、かつ、撚り糸でもない紐部は締め付けにより容易に細くなり、紐部がパネル部から抜け（離脱）るのを抑制できるだろう。
【００２７】好ましくは、前記各パネル部１１はそれぞれ編地で形成され、前記各編地を構成する糸が前記貫通孔Ｈを定義すると共に、前記各貫通孔Ｈにおいて各紐部１０の周囲を締め付けている。
【００２８】編地で形成されたパネル部は樹脂プレート等のパネル部に比べ柔軟で、一般に、フィット性や軽量性に優れている。また、編地で形成されたパネル部の貫通孔Ｈは織地などに比べ紐部１０を締め付け易いだろう。
【００２９】更に好ましくは、前記編地が経編地で構成されている。
【００３０】経編地は緯編地に比べ耐久性が良い。
【００３１】好ましくは、前記各紐部１０は前記複数のパネル部１１の貫通孔Ｈにおいて締め付けられた被締付部１０ａと、前記互いに隣り合うパネル部１１間において露出する露出部１０ｂとを前記前後方向Ｙに交互に有し、前記内足部３１及び／又は前記外足部３２における互いに隣り合う一対のパネル部１１同士の間において、前記各紐部１０の前記露出部１０ｂが前記足の周方向Ｘに間欠的に複数配置された梯子部１２を有し、前記梯子部１２が前記前後方向Ｙに間欠的に複数配置され、前記複数の梯子部１２と前記複数のパネル部１１とが前記前後方向Ｙに交互に配置されている。
【００３２】梯子部１２とパネル部１１とが前後方向Ｙに交互に配置された生地は、編物や織物で容易に形成できるだろう。また、前記安定性、軽量性およびフィット性が発揮され易いだろう。
【００３３】更に好ましくは、前記アッパー３は前記足の内外の中央部３６に向かって前記複数のパネル部１１を引き寄せる締付部材６を有し、前記内足部３１及び／又は外足部３２は、それぞれ、前記締付部材６が係合する複数の係合部６０を有し、前記内足部３１または外足部３２において互いに隣り合う一対の係合部６０の間のアッパー３の部位に対し、１つのパネル部１１とその前後の一対の前記梯子部１２とが配置されている。
【００３４】互いに隣り合う一対の係合部６０の間のアッパー３の部位に対し、１つのパネル部１１とその前後の一対の前記梯子部１２とが配置されている場合、パネル部１１と梯子部１２とを細かいピッチで多数配置することができる。そのため、安定性やフィット性が向上するだろう。
【００３５】好ましくは、前記アッパー３は前記足の内外の中央部３６に向かって前記複数のパネル部１１を引き寄せる締付部材６を有し、前記内足部３１及び／又は外足部３２は、それぞれ、前記締付部材６が係合する複数の係合部６０を有し、前記複数の係合部６０のうち最も前方の係合部６０よりも前方のアッパー３の爪先部３３に前記パネル部１１および梯子部１２が前記前後方向Ｙに交互に複数配置されている。
【００３６】前記爪先部３３に前記パネル部１１および梯子部１２が前記前後方向Ｙに交互に複数配置されている場合、爪先部３３から中足部までを１つの生地で形成することができる。そのため、更なる軽量性の向上とコストダウンを図り得る。
【００３７】好ましくは、前記生地は複数本の糸を包含し、前記複数本の糸の一部又は全部が融着糸で、前記融着糸は糸同士を融着する融着構造を形成する。
【００３８】本明細書において、融着糸とは熱融着糸（hot-melt Yarn)を含み、更に、複数本の融着繊維（melt-binding fiber）を撚って束ねた撚り糸状の糸を含む。融着糸は多数の繊維を撚り合わせたマルチストランドであってもよく、単繊維からなるモノフィラメントであってもよい。
【００３９】マルチストランドの場合、芯鞘構造を持つ多数の融着繊維を撚り合わせたものでもよいし、軸芯に融点の高い繊維が配置され、外周囲に芯鞘構造を持つ融着繊維が配置されてもよい。前記芯鞘構造は熱収縮性を有する芯部と前記芯部よりも低融点の鞘部とを有していてもよい。モノフィラメントで融着糸が形成される場合、芯鞘構造の単繊維であってもよい。前記芯鞘構造は熱収縮性を有する芯部と前記芯部よりも低融点の鞘部とを有していてもよい。また、鞘の部分は芯の表面の一部にのみ配置されていてもよい。
【００４０】糸同士の融着とは、全ての糸が融着する場合だけでなく、一部の糸が融着する場合も含む。また、糸同士の融着とは、糸の全体が融着する場合だけでなく、糸の一部が融着する場合も含む。
【００４１】融着構造を形成した融着糸は、糸や繊維が締まり、紐部の周囲を貫通孔Ｈの部位において締め付けるだろう。したがって、紐部がパネル部の貫通孔Ｈから抜けるのを抑制し易いだろう。
【００４２】更に好ましくは、前記融着構造の融着糸は前記パネル部１１における糸同士を融着する。
【００４３】この場合、融着構造が形成されたパネル部は、生地の剛性がアップし、前記安定性が向上すると共に、パネル部を細くして更なる軽量化を実現することができる。
【００４４】好ましくは、前記糸の一部又は全部が非伸性である。
【００４５】足がアッパーの内部で内側や外側にズレようとする際に、非伸性の紐部やパネル部は所定長よりも伸びることなく、足の内外の側面を支持するだろう。そのため、安定性が優れているだろう。
【００４６】本発明において、非伸性とは伸びも縮みもしない非伸縮性の紐部を含み、更に、本質的に（着用中に負荷される力では）所定長よりも伸びないが、所定長から縮むことが可能な紐部やパネル部を含むことを意味する。
【実施例】
【００４７】本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００４８】１つの実施例または他の例に関連して説明および／または図示した特徴は、１つまたはそれ以上の他の実施例または他の例において同一または類似な形で、および／または他の実施例の特徴と組み合わせて、または、その代わりに利用することができる。【００４９】実施例１：以下、本発明の実施例１が図１〜図９を参照して説明される。以下の説明では、左足用の靴が例示される。図１に示す靴は、たとえば、競技用やランニング用の靴で、図２Ａのソール８にアッパー３が固定されている。前記アッパー３は柔軟な生地１、補強部材２およびシューレース（締付部材）６を備えている。前記アッパー３には図１の舌片９が設けられていてもよい。【００５０】図２Ａのソール８はアッパー３の下に配置され路面に接地するものである。前記柔軟な生地１は足の内側面、外側面および爪先を包むように形成されている。補強部材２およびシューレース６は柔軟な生地１を足の甲にフィットさせるためのものである。本例の場合、図１および図２Ａに示すように、生地１の構造を示す模様が付されている。【００５１】図１および図２Ａにおいて、前記シューレース６の両端部分は図示が省略されているが、アッパー３内に足を挿入した後に、前記両端部同士は互いに固く結ばれる。シューレース６の端部同士が互いに結ばれることにより、アッパー３が足に対しフィットする。【００５２】図１および図２Ａに示すように、アッパー３には足を着用時に挿入するための履き口７が形成されている。前記履き口７は着用中に脚が上方に出るもので、前記履き口７の前方の部位には前記シューレース６が配置される。【００５３】図１において、前記アッパー３は、前記足の内側面を覆う内足部３１と、前記足の外側面を覆う外足部３２と、内外の中央部３６と、最も前方の係合部６０よりも前方の爪先部３３とを有し、前後方向Ｙおよび周方向Ｘに延びている。【００５４】前記生地１は織編地で形成されていてもよい。織編地とは、一般に織地および編地の総称であるが、本明細書においては、織地か編地のいずれに属するかが分かりにくい生地を含むことを意味する。【００５５】前記生地１は複数の紐部１０およびパネル部１１が前後方向Ｙに交互に配置されて構成されている。【００５６】図１において、前記パネル部１１は爪先部３３、内足部３１および外足部３２において互いに足の前後方向Ｙに離間し、前記足の前後方向Ｙに交差する足の周方向Ｘに延びる。前記紐部１０は前記複数のパネル部１１のうち前記前後方向Ｙに互いに隣り合う一対のパネル部１１にわたって配置され、前記前後方向Ｙに延びる線状部材で構成されている。【００５７】前記パネル部１１と前記紐部１０とが１つの生地で形成されている。本例では、図３に示すように、前記パネル部１１の前記前後方向Ｙの最小幅Ｗは前記紐部１０の前記周方向Ｘの最大太さＴ１よりも大きい。したがって、前記パネル部１１の前記前後方向Ｙの幅の平均値は、前記紐部１０の前記周方向Ｘの太さの平均値よりも大きい。【００５８】図９の断面図に示すように、前記紐部１０は前記パネル部１１に挿通されている。前記生地１の裏側には内装材５が配置されていてもよい。前記内装材５は生地１に付着されていてもよい。前記内装材５は前記生地１よりも伸び難い素材で形成されていてもよい。【００５９】前記生地１は上部において内装材５と共に一対の補強部材２の間で挟まれていてもよい。前記生地１は下部において内装材５と共に前記ソール８とインソール８１との間に挟まれていてもよい。前記上部と下部との前記周方向Ｘの間において前記生地１は前記内装材５に付着されていなくてもよい。なお、図９においてｘｘは接着剤を示す。前記生地１、内装材５および補強部材２には、図１のハトメ孔のような係合部６０が内足部３１および外足部３２に複数形成されていてもよい。【００６０】図３−図５に示すように、前記各パネル部１１はそれぞれ編地で形成されている。図７から分かるように、前記編地は例えば経編地で構成されている。経編地として、たとえば、経編トリコット緯糸挿入生地、経編ラッセル緯糸挿入生地などを採用することができる。【００６１】すなわち、図７の前記各パネル部１１はメリヤス編みなどの編み方により１本の糸で構成されていてもよい。図７の右上において多数の繊維Ｆ１からなる１本の糸１３が前記パネル部１１からほつれている。このことから、前記各パネル部１１は多数の繊維Ｆ１からなる１本の糸１３が編まれることにより形成されていることが看取できる。図３に示すように、パネル部１１の糸１３は１本の紐部１０がパネル部１１に前後方向Ｙに挿通される複数の編目１３ａを形成している。挿通される１本の紐部１０に対し各編目１３ａは前後方向Ｙに断続的に配置されている。図３、図６Ａおよび図６Ｂに示すように、前記糸１３は各編目において各紐部１０の周囲を締め付けている。  前記前後方向Ｙに断続的に配置された複数の編目１３ａにより図３の１つの貫通孔Ｈが構成される。したがって、前記１つの貫通孔Ｈは前後方向Ｙに延びている。前記１つの貫通孔Ｈに１本の紐部１０が挿通されている。各パネル部１１において前記貫通孔Ｈは前記周方向Ｘに複数設けられ、前記周方向Ｘに互いに離間している。前記周方向Ｘに互いに離間した前記複数の貫通孔Ｈのうちの各貫通孔Ｈには、前記複数の紐部１０のうちの１本の紐部１０が挿通されている。すなわち、前記各編地を形成する糸１３からなるパネル部１１は図３の前記周方向Ｘに互いに離間する複数の貫通孔Ｈを定義すると共に、前記各貫通孔Ｈにおいて各紐部１０の周囲を締め付けている。【００６２】図１に示すように、前記各パネル部１１は前記周方向Ｘに延びる帯状で、図３、図４および図５の拡大図に示すように、前記各パネル部１１は複数の編目を定義している。本例では、超拡大図である図３において、各編目１３ａを形成する糸１３同士が前記前後方向Ｙに互いに離間して示されている。一方、パネル部１１をたとえばルーペで拡大して見ると、図２Ｂに示すように、前後方向Ｙに互いに隣り合う糸１３同士は前後方向Ｙ���互いに接して配置されているように見えるだろう。したがって、肉眼やルーペで生地１を見た場合、図３の前記１つの貫通孔Ｈについて、前後方向Ｙに互いに接して配置された複数の編目１３ａが前後方向Ｙに連なる１つの貫通孔を構成しているように見えるだろう。【００６３】図６Ａおよび図６Ｂに示すように、前記各貫通孔Ｈ（図３）において、前記各パネル部１１は前記各紐部１０の周囲を締め付けている。すなわち、各パネル部１１の糸１３は前記紐部１０の周囲を締め付けている。前記前後方向Ｙに延びる前記複数本の紐部１０のうち互いに隣り合う各紐部１０同士は前記周方向Ｘに互いに離間している。【００６４】図３および図７に示すように、前記各紐部１０は前記複数のパネル部１１の貫通孔Ｈにおいて締め付けられた被締付部１０ａと、前記互いに隣り合うパネル部間において露出する露出部１０ｂとを包含する。図３および図７に示すように、前記被締付部１０ａは前記パネル部１１の糸１３により直接締め付けられる部位と、前記糸１３の締め付けにより間接的に太さが細くなる部位とを包含する。図７および図８に示すように、前記被締付部１０ａの前記周方向Ｘの太さは前記露出部１０ｂの前記周方向Ｘの太さよりも細い。たとえば、図３に示すように、前記パネル部１１の糸１３により締め付けられる前記紐部１０の前記周方向Ｘの太さＴ２は前記露出部１０ｂの前記周方向Ｘの最大太さＴ３よりも小さい。なお、図７において、前記パネル部１１が抜き取られた前記紐部１０の端部側は前記周方向Ｘに広がっている。図２Ｂに示すように、前記パネル部１１の前記前後方向Ｙの幅は前記露出部１０ｂの前記前後方向Ｙの幅よりも大きくてもよい。【００６５】図７に示すように、前記各紐部１０は複数の繊維Ｆ０を集めた束状で、前記複数の繊維Ｆ０同士は、互いに非接着である。前記紐部１０は前記露出部１０ｂよりも前記被締付部１０ａにおいて前記複数の繊維Ｆ０が密に束ねられている。【００６６】好ましくは、前記紐部１０は非撚り糸状である。ここで、非撚り糸状とは、本質的に撚られていないものの他に、甘撚り程度に撚られたものを含む。非撚り糸状とは、例えば、１インチ当りの撚り数が０〜１程度であり、好ましくは、０〜０．５程度である場合を意味する。【００６７】図１において、前記アッパー３の補強部材２に配置された係合部６０に係合する締付部材６は着用時に前記複数のパネル部１１を前記足の内外の中央部３６に向かって引き寄せる。前記内足部３１および外足部３２は、それぞれ、前記締付部材６が係合する前記複数の係合部６０を有する。前記複数の係合部６０は、前記内側部および外側部において、それぞれ、前記前後方向に沿って互いに離間して配置されている。【００６８】図１および図２Ａに示すように、前記複数の係合部６０のうち最も前方の係合部６０よりも前方の前記アッパー３の爪先部３３、前記内足部３１および外足部３２には、前記パネル部１１および梯子部１２が前記前後方向Ｙに交互に複数配置されている。前記梯子部１２は、図２Ａおよび２Ｂに示すように、前記各紐部１０の前記露出部１０ｂが前記足の周方向Ｘに間欠的に複数配置されて構成されている。前記梯子部１２は前記爪先部３３、前記内足部３１及び前記外���部３２において前後方向Ｙに互いに隣り合う一対のパネル部１１同士の間に配置されている。【００６９】前記梯子部１２は前記前後方向Ｙに間欠的に複数配置されている。すなわち、前記複数の梯子部１２と前記複数のパネル部１１とは前記前後方向Ｙに交互に配置されている。図１に示すように、前記アッパー３の前方において、前記複数のパネル部１１は前記内側部３１、前記爪先部３３および前記外側部３２にわたって前記周方向Ｘに連続的に延びている。前記アッパー３の前方において、前記梯子部１２は前記内側部３１、前記爪先部３３および前記外側部３２にわたって前記周方向Ｘに間欠的に配置されている。すなわち、前記内側部３１から前記外側部３２まで周方向Ｘに連続的に延びる複数のパネル部１１のうちの互いに隣り合う一対のパネル部１１の間に前記梯子部１２が周方向Ｘに配置されている。したがって、前記爪先部３３、内側部３１および外側部３２においてパネル部１１と梯子部１２とが前記前後方向Ｙに交互に複数配置されている。前記生地１（パネル部および紐部）がアッパーの前方で広い範囲にわたって配置されることで、たとえば足の背屈などの際に爪先部に皺ができにくくなり、フィット性が向上するだろう。【００７０】前記内足部３１または外足部３２において、図２Ａに示すように、前記前後方向Ｙに互いに隣り合う一対の係合部６０の間のアッパー３の部位に対し、１つのパネル部１１とその前後の一対の前記梯子部１２とが配置されている。すなわち、前記一対の係合部６０，６０の間の前後方向Ｙの幅に相当する生地１の前後方向Ｙの幅において、１つのパネル部１１とその前後の一対の前記梯子部１２とが配置されている。換言すると、前記パネル部１１および梯子部１２のピッチＰは互いに隣接する係合部６０，６０のピッチＰ６よりも小さい。例えば、前記係合部６０，６０のピッチＰ６は前記パネル部１１および梯子部１２のピッチＰの２倍〜４倍程度であってもよい。【００７１】なお、本例の場合、前記ピッチＰは６〜７ｍｍ程度で、前記ピッチＰ６は１８〜２０ｍｍ程度に設定されている。【００７２】前記生地１は複数本の糸１３を包含する。すなわち、図３に示すように、生地１は複数のパネル部１１を形成する糸１３を含む。図６Ａ、図６Ｂおよび図７に示すように、糸１３および紐部１０はそれぞれ複数本の繊維Ｆ１、Ｆ０で形成されている。経編地を構成する糸１３は多数の繊維が撚られた撚り糸であってもよい。【００７３】前記複数本の糸１３の一部又は全部は融着糸であってもよい。前記融着糸は糸同士を融着する融着構造を形成する。前記融着構造の融着糸は前記パネル部１１における糸同士を融着する。前記糸１３を構成する融着糸は、撚り糸の外周囲に配置された複数の繊維自体が融着繊維であってもよい。また、糸１３を構成する融着糸は、撚り糸の全ての繊維が融着繊維であってもよい。【００７４】前記糸１３および紐部１０は非伸性の繊維で形成されている。非伸性の繊維としては、ポリエステル繊維、ナイロン繊維、レーヨン繊維、アクリル繊維などを採用することができる。【００７５】図１０Ａおよび図１０Ｂは紐部１０およびパネル部１１の他の例を示す。本例ではパネル部１１が一対の不織布１１ｎで形成されてい���。一方、紐部１０はモノフィラメントで構成されている。一対の不織布１１ｎは互いに溶着されていると共に紐部１０の外周囲に溶着されていてもよい。【００７６】本例の場合、紐部１０は一定の太さとなるであろう。また、パネル部１１は紐部１０を締め付ける必要もないであろう。【００７７】図１１Ａ〜図１１Ｃは別の例を示す。本例ではパネル部１１が多数本の糸１３で構成されている。多数本の糸１３は互いに接するように平行に配置された第１および第２グループＧ１，Ｇ２を構成する。前記第１および第２グループＧ１，Ｇ２は各紐部１０を挟んでパネル部１１を形成している。【００７８】図１２はパネル部１１の更に別の例を示す。本例の生地１は織物で構成されている。【００７９】本例において、生地１は多数本の経糸１３Ｗ（warp yarn）で構成されたパネル部１１に緯糸（weft)である紐部１０が織り込まれて構成されている。紐部１０は多数本の繊維を束ねた非撚り糸であってもよい。【００８０】本例において、経糸１３Ｗは融着糸であってもよい。各経糸１３Ｗは多数本の繊維を撚った撚り糸であってもよい。各経糸１３Ｗは融着構造を有し、繊維同士が融着されていてもよい。また、各経糸１３Ｗが互いに融着されていてもよい。また、各経糸１３Ｗが互いに融着されていてもよいし、各経糸１３Ｗと紐部１０が融着されていてもよい。【００８１】図１２において、作図の都合上、各経糸１３Ｗ同士は紐部１０が延びる前後方向Ｙに互いに離間して描かれている。しかし、各経糸１３Ｗ同士は前後方向Ｙに互いに接していてもよく、更に、互いに接する経糸１３Ｗ同士が互いに融着されていてもよい。【００８２】本例の織物の場合も、各紐部１０の周囲はパネル部１１の経糸１３Ｗにより締め付けられて、被締付部１０ａの太さが露出部１０ｂよりも細い。【００８３】以上のとおり、図面を参照しながら好適な実施例を説明したが、当業者であれば本発明を見て、自明な範囲で種々の変更および修正を容易に想定するであろう。たとえば、アッパーの下に配置されるソールは、いわゆるアウトソールのみを有していてもよい。パネル部および紐部は爪先部、内足部または外足部の１つにのみ設けられてもよい。アッパーの中央部に舌片が設けられていなくてもよい。シューレースの挿通孔はハトメではなく、ループであってもよい。シューレースに代え、あるいは、シューレースに加えて、締付部材としてベルトが採用されてもよい。したがって、そのような変更および修正は請求の範囲から定まる本発明の範囲内のものと解釈される。
【産業上の利用可能性】
【００８４】  本発明はランニング用の靴の他、ウォーキングなどの種々の用途の靴に適用できる。
【符号の説明】
【００８５】１：生地  １０：紐部  １０a：被締付部  １０ｂ：露出部１１：パネル部  １１ｎ：不織布  １２：梯子部  １３：糸  １３ａ：編目  １３Ｗ：経糸２：補強部材  ３：アッパー  ３１：内足部  ３２：外足部  ３３：爪先部  ３６：中央部５：内装材６：締付部材  ６０：係合部７：履き口  ８：ソール  ８１：インソールＨ：貫通孔  Ｘ：周方向  Ｙ：前後方向  Ｗ：パネル部の最小幅  Ｔ１：紐部の最大太さＰ：パネル部および紐部のピッチ  Ｐ６：係合部のピッチ
【図１】
2018173094.tif 000003
【図２】
2018173094.tif 000004
【図３】
2018173094.tif 000005
【図４】
2018173094.tif 000006
【図５】
2018173094.tif 000007
【図６】
2018173094.tif 000008
【図７】
2018173094.tif 000009
【図８】
2018173094.tif 000010
【図９】
2018173094.tif 000011
【図１０】
2018173094.tif 000012
【図１１】
2018173094.tif 000013
【図１２】
2018173094.tif 000014
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
少なくとも足の一部を覆う靴のアッパー３であって、
前記足の内側面を覆う内足部３１と、
前記足の外側面を覆う外足部３２と、
前記内足部３１及び／又は外足部３２において互いに足の前後方向Ｙに離間し、前記足の前後方向Ｙに交差する足の周方向Ｘに延びる複数のパネル部１１と、
前記複数のパネル部１１のうち前記前後方向Ｙに互いに隣り合う一対のパネル部１１にわたって配置され、前記前後方向Ｙに延びる線状部材で構成された複数本の紐部１０とを備え、
前記パネル部１１と前記紐部１０とが１つの生地１で形成されており、
前記各紐部１０は前記複数のパネル部１１の貫通孔Ｈにおいて前記パネル部１１に締め付けられた被締付部１０ａと、前記互いに隣り合うパネル部間において露出する露出部１０ｂとを包含し、
前記各紐部１０は複数の繊維Ｆを集めた束状で、前記複数の繊維同士は、互いに非接着であり、
前記露出部１０ｂよりも前記被締付部１０ａにおいて前記複数の繊維が密に束ねられている、靴のアッパー。
【請求項２】
請求項１のアッパー３において、
前記パネル部１１の前記前後方向Ｙの幅の平均値が、前記紐部１０の前記周方向Ｘの太さの平均値よりも大きい、靴のアッパー。
【請求項３】
請求項１もしくは２のアッパー３において、
前記各パネル部１１は前記周方向Ｘに延びる帯状で、前記各パネル部１１は前記周方向Ｘに互いに離間した複数の貫通孔Ｈを定義しており、
前記複数の貫通孔Ｈのうちの各貫通孔Ｈに、前記複数の紐部１０のうちの１本の紐部１０が挿通されていると共に、
前記各貫通孔Ｈにおいて、前記各パネル部１１が前記各紐部１０の周囲を締め付けている、靴のアッパー。
【請求項４】
請求項３のアッパー３において、
前記前後方向Ｙに延びる前記複数本の紐部１０のうち互いに隣り合う各紐部１０同士は前記周方向Ｘに互いに離間している、靴のアッパー。
【請求項５】
請求項１〜４のいずれか１項のアッパー３において、
前記被締付部１０ａの前記周方向Ｘの太さが前記露出部１０ｂの前記周方向Ｘの太さよりも細い、靴のアッパー。
【請求項６】
請求項１のアッパー３において、
前記前後方向Ｙに延びる前記複数本の紐部１０のうち互いに隣り合う各紐部１０同士は前記周方向Ｘに互いに離間しており、
前記各パネル部１１は前記周方向Ｘに延びる帯状で、前記各パネル部１１は前記周方向Ｘに互いに離間した複数の貫通孔Ｈを定義しており、
前記複数の貫通孔Ｈのうちの各貫通孔Ｈに、前記複数の紐部１０のうちの１本の紐部１０が挿通されていると共に、
前記各貫通孔Ｈにおいて、前記各パネル部１１が前記各紐部１０の周囲を締め付けていることで、前記被締付部１０ａの前記周方向Ｘの太さが前記露出部１０ｂの前記周方向Ｘの太さよりも細い、靴のアッパー。
【請求項７】
請求項５のアッパー３において、
前記紐部１０は非撚り糸状である、靴のアッパー。
【請求項８】
請求項３〜７のいずれか１項のアッパー３において、
前記各パネル部１１はそれぞれ編地で形成され、
前記各編地を構成する糸１３が前記貫通孔Ｈを定義すると共に、前記各貫通孔Ｈにおいて各紐部１０の周囲を締め付けている、靴のアッパー。
【請求項９】
請求項８のアッパー３において、
前記編地が経編地で構成されている、靴のアッパー。
【請求項１０】
請求項１〜４のいずれか１項のアッパー３において、
前記各紐部１０は前記複数のパネル部１１の貫通孔Ｈにおいて締め付けられた被締付部１０ａと、前記互いに隣り合うパネル部１１間において露出する露出部１０ｂとを前記前後方向Ｙに交互に有し、
前記内足部３１及び／又は前記外足部３２における互いに隣り合う一対のパネル部１１同士の間において、前記各紐部１０の前記露出部１０ｂが前記足の周方向Ｘに間欠的に複数配置された梯子部１２を有し、
前記梯子部１２が前記前後方向Ｙに間欠的に複数配置され、
前記複数の梯子部１２と前記複数のパネル部１１とが前記前後方向Ｙに交互に配置されている、靴のアッパー。
【請求項１１】
請求項１０のアッパー３において、
前記アッパー３は前記足の内外の中央部３６に向かって前記複数のパネル部１１を引き寄せる締付部材６を有し、
前記内足部３１及び／又は外足部３２は、それぞれ、前記締付部材６が係合する複数の係合部６０を有し、
前記内足部３１または外足部３２において互いに隣り合う一対の係合部６０の間のアッパー３の部位に対し、１つのパネル部１１とその前後の一対の前記梯子部１２とが配置されている、靴のアッパー。
【請求項１２】
請求項１０のアッパー３において、
前記アッパー３は前記足の内外の中央部３６に向かって前記複数のパネル部１１を引き寄せる締付部材６を有し、
前記内足部３１及び／又は外足部３２は、それぞれ、前記締付部材６が係合する複数の係合部６０を有し、
前記複数の係合部６０のうち最も前方の係合部６０よりも前方の前記アッパーの爪先部３３に前記パネル部１１および梯子部１２が前記前後方向Ｙに交互に複数配置されている、靴のアッパー。
【請求項１３】
請求項１〜１２のいずれか１項のアッパー３において、
前記生地は複数本の糸１３を包含し、
前記複数本の糸１３の一部又は全部が融着糸で、前記融着糸は糸同士を融着する融着構造を形成する、靴のアッパー。
【請求項１４】
請求項１３のアッパー３において、
前記融着構造の融着糸は前記パネル部１１における糸同士を融着する、靴のアッパー。
【請求項１５】
請求項１〜１４のいずれか１項のアッパー３において、
前記糸の一部又は全部が非伸性である、靴のアッパー。
【国際調査報告】
2018173094.tif 000015
2018173094.tif 000016
2018173094.tif 000017
2018173094.tif 000018